(57)【要約】【課題】主に輝度信号の処理により高解像度のＰＤＰを得ることが出来る技術を提供する。【解決手段】１画素が２種類以上の放電セルから成るプラズマディスプレイ装置において、画素が他の画素と共有する放電セルをもつ構成とした。【撰択図】図１【特許請求の範囲】
【請求項１】
１画素が２種類以上の放電セルから成るプラズマディスプレイパネル（ＰＤＰ）であって、１つの画素が他の画素と共有する放電セルをもつことを特徴とするプラズマディスプレイ装置。
【請求項２】
同じ色の放電セルをストレートに並べて配列したカラーＰＤＰであって、１画素がＡ、Ｂ、Ｃの順に配列された３色の放電セルから成り、画素内の両端のＡ、Ｃの放電セルが隣接画素と共有されることを特徴とするプラズマディスプレイ装置。
【請求項３】
同じ色の放電セルをストレートに並べて配列したカラーＰＤＰであって、１画素がＡ、Ｂ、Ｃの順に配列された３色の放電セルから成り、画素内の両端のＡ、Ｂの放電セルが隣接画素と共有され、かつＢ、Ｃ放電セルが他の隣接画素と共有されることを特徴とするプラズマディスプレイ装置。
【請求項４】
上記共有される色の放電セルに対する輝度信号は、その放電セルを共有する複数の画素に対する輝度信号の和とすることを特徴とする請求項２または３に記載のプラズマディスプレイ装置。
【請求項５】
Ｒ、Ｇ、Ｂ放電セルの少なくとも１つの幅が他と異なることを特徴とする請求項２または３に記載のプラズマディスプレイ装置。
【発明の詳細な説明】
【０００１】
【発明の属する技術分野】
本願発明は、プラズマディスプレイパネル（Ｐｌａｓｍａ  Ｄｉｓｐｌａｙ  Ｐａｎｅｌ：以下、ＰＤＰと称する）を用いたプラズマディスプレイ装置に関するものである。本願発明は、特に、解像度を向上させる際に有効である。
【０００２】
【従来の技術】
最近、プラズマディスプレイパネル（ＰＤＰ）を用いたプラズマディスプレイ装置の１種であるプラズマテレビ（ＰＤＰ−ＴＶ）が大画面テレビ市場で急速に普及しつつある。
【０００３】
図７は従来のａｃ３電極面放電型ＰＤＰの例を示す斜視図である。図７に示すａｃ面放電型ＰＤＰでは、２枚のガラス基板、即ち、前面基板５１および背面基板５８が対向配置され、それらの間隙が放電空間６３となる。放電空間６３には、放電ガスが通常数百Ｔｏｒｒ以上の圧力で封入されている。放電ガスとしては、例えばＮｅ、Ｘｅの混合ガスを用いる。
【０００４】
表示面としての前面基板５１の下面には、主に表示発光のためのサステイン放電を行なうサステイン電極対が形成されている。このサステイン電極対はＸ電極、Ｙ電極と称される。通常、Ｘ電極及びＹ電極は、透明電極と透明電極の導電性を補う不透明電極から構成される。即ち、Ｘ電極６４は、Ｘ透明電極５２と、不透明なＸバス電極５４とから構成され、Ｙ電極６５は、Ｙ透明電極５３と、不透明なＹバス電極５５とから構成される。
【０００５】
これらサステイン電極は、前面誘電体５６によって被覆され、この誘電体５６の表面には酸化マグネシウム（ＭｇＯ）等の保護膜５７が形成される。ＭｇＯは耐スパッタ性、二次電子放出係数が高いため、前面誘電体５６を保護し、放電開始電圧を低下させる。
【０００６】
一方、背面基板５８の上面には、サステイン電極（Ｘ電極、Ｙ電極）と直交方向に、アドレス放電のためのアドレス電極５９が設けられている。このアドレス電極５９は背面誘電体６０によって被覆される。この背面誘電体６０の上には隔壁６１がＡ電極５９の間の位置に設けられている。更に、隔壁６１の壁面と背面誘電体６０の上面によって形成される凹領域内には蛍光体６２が塗布されている。この構成において、サステイン電極対とアドレス電極との交差部が１つの放電セルに対応している。そして、放電セルは二次元状に配列されている。カラー表示の場合には、赤色（Ｒ）、緑色（Ｇ）、青色（Ｂ）の各蛍光体が塗布された３種の放電セルを一組として１画素６６を構成する。図８は、図７のＤ３方向から見た放電セルの配列であり、ＰＤＰの放電セルと画素の関係を示している。従来のＰＤＰでは、ｉ−１列目の画素１とｉ列目の画素２とｉ＋１列目の画素はそれぞれＲ、Ｇ、Ｂの３種の放電セルから成り、隣接画素は互いに共有する放電セルを持たない。
【０００７】
次に、この例のＰＤＰの動作について説明する。
【０００８】
ＰＤＰの発光の原理は、Ｘ、Ｙ電極間に印加するパルス電圧によって放電を起こして、励起された放電ガスから発生する紫外線を蛍光体によって可視光に変換するというものである。
【０００９】
図９はＰＤＰ装置の基本構成を示すブロック図である。上記ＰＤＰ（プラズマディスプレイパネル、又はパネルとも呼ぶ）９１は、プラズマディスプレイ装置１００に組み込まれる。ＰＤＰ９１は駆動回路９８に接続され、駆動回路９８は画像源９９から表示画面の画像信号を受取り、駆動電圧に変換してＰＤＰ９１の各電極に供給する。
【００１０】
ＰＤＰの階調表示方式として通常ＡＤＳ（Ａｄｄｒｅｓｓ  Ｄｉｓｐｌａｙ−Ｐｅｒｉｏｄ  Ｓｅｐａｒａｔｉｏｎ）が用いられる。この方式では、ＰＤＰに１枚の画を表示するのに要する１ＴＶフィールド期間を複数の異なる発光回数を持つサブフィールドに分割し、各サブフィールド毎の発光と非発光の選択により階調を表現する。例えば、２進法に基づく輝度の重みをもった８個のサブフィールドを設けた場合、３原色表示用放電セルはそれぞれ２８（＝２５６）階調の輝度表示が得られ、約１６７８万色の色表示ができる。各サブフィールドは、放電セルを初期状態に戻すリセット期間、発光する放電セルを選択するアドレス期間、および選択した放電セルを発光表示するサステイン期間の３つの放電期間から成る。すなわち、１ＴＶフィールドの全サステイン期間での全発光回数を画像信号の輝度信号に比例するように設定し、その全発光回数をサブフィールドに振り分ける。
以上が、従来のＰＤＰ装置の基本構成及びその駆動方法の概略である。
【００１１】
また、上記のような従来技術に関する文献は数多くあるが、例えば特許文献１および特許文献２等がある。
【特許文献１】
特開平１０−１４９１３２号公報
【特許文献２】
特開平１１−７２６４号公報
【００１２】
【発明が解決しようとする課題】
ＰＤＰの高画質化のためには解像度の向上が重要である。しかし、ＰＤＰは、プラズマ放電が狭い空間において発光効率が低いこと、放電セルを規定するリブの幅を狭くすることが困難なこと等から、画素を小さくすることが困難であるため、解像度を上げることが困難である。特に、１画素がリブで区画される少なくとも２種類の矩形の放電セルから成るＰＤＰにおいて、リブの幅の制限のためにリブと直行方向の解像度を向上させることが困難であった。
【００１３】
本発明は、プラズマディスプレイパネル（ＰＤＰ）を用いたプラズマテレビ（ＰＤＰ―ＴＶ）等のプラズマディスプレイ装置において、主に輝度信号の処理によりＰＤＰの製作限界以上の高解像度のＰＤＰを得ることが出来る技術を提供することにある。
【００１４】
【課題を解決するための手段】
従来のＰＤＰの１画素は、図８に示したように隣接画素と重なりを持たない構成である。このため、ＰＤＰの放電セルの大きさで決まる１画素の大きさで解像度の限界が決まっていた。この限界を超えるための本発明の基本的考え方は、１画素が２種類以上の放電セルから成るＰＤＰにおいて、画素が他の画素と共有する放電セルをもつ構成とすることである。これにより、１つの画素が少なくとも隣接画素と重なりを持つので、同じ大きさの放電セルとＰＤＰに対して重なり分だけ画素数を多くすることが出来、高解像度のＰＤＰが得られる。
【００１５】
本願において開示される発明のうち、代表的なものの概要を説明すれば、下記の通りである。
【００１６】
本願発明の骨子は次のようなプラズマディスプレイ装置である。
１画素が２種類以上の放電セルから成るプラズマディスプレイパネル（ＰＤＰ）であって、１つの画素が他の画素と共有する放電セルをもつことを特徴とするプラズマディスプレイ装置。
【００１７】
また、同じ色の放電セルをストレートに並べて配列したカラーＰＤＰであって、
１画素がＡ、Ｂ、Ｃの順に配列された３色の放電セルから成り、画素内の両端のＡ、Ｃの放電セルが隣接画素と共有されることを特徴とするプラズマディスプレイ装置。
【００１８】
また、同じ色の放電セルをストレートに並べて配列したカラーＰＤＰであって、
１画素がＡ、Ｂ、Ｃの順に配列された３色の放電セルから成り、画素内の両端のＡ、Ｂの放電セルが隣接画素と共有され、かつＢ、Ｃ放電セルが他の隣接画素と共有されることを特徴とするプラズマディスプレイ装置。
【００１９】
また、上記共有される色の放電セルに対する輝度信号は、その放電セルを共有する複数の画素に対する輝度信号の和とする上記記載のプラズマディスプレイ装置。
【００２０】
また、Ｒ、Ｇ、Ｂ放電セルの少なくとも１つの幅が他と異なる上記記載のプラズマディスプレイ装置。
【００２１】
【発明の実施の形態】
以下、図面を参照して本発明の実施の形態を詳細に説明する。尚、実施の形態を説明するための全図において、同一機能を有するものは同一符号を付け、その繰り返しの説明は省略する。
［実施の形態１］
図１は、本発明の実施の形態１の例１のプラズマディスプレイ装置のＰＤＰの放電セルと画素の関係を示す図である。１つの放電セルの構造は従来技術の図７と同様の構造であり、Ｒ、Ｇ、Ｂ３色の放電セルが従来技術の図８とほぼ同様に配列されている。Ｒ、Ｇ、Ｂの３色の放電セルにより１画素を構成するのは従来の図８と同じであるが、１つのの画素が隣接画素と重なりあっている点が図８と異なる。すなわち、例えばｉ列目の画素２はＲ、Ｇ、Ｂの３色の放電セルから成る。左隣りのｉ−１列目の画素１はＧ、Ｂ、Ｒの３色の方セルから成り、境界のＲの放電セルがｉ列目の画素２と共有される。また、右隣りのｉ＋１列目の放電セル３はＢ、Ｒ、Ｇの３色の放電セルから成り、境界のＢの放電セルがｉ列めの画素２と共有される。言い換えれば、Ｒ、Ｇ、Ｂの放電セルから成るｉ列目の画素のうち、両端のＲ、Ｂの放電セルが隣接画素と共有される。これにより、画素間距離４が従来技術のＰＤＰの２／３となり、横方向の解像度が３／２倍になる。さらに縦方向の画素間距離を横方向と一致させるために、縦方向の放電セルサイズを２／３に縮小すれば、縦横とも解像度を１．５倍にすることが出来る。逆に同じ解像度のＰＤＰならば、横方向の放電セル幅を３／２倍とすることが出来、発光効率において有利になる。
【００２２】
実際の放電セル幅はＰＤＰのサイズと設計画素数から決まるが、その放電セル幅は従来技術の構成による放電セル幅と比べて３／２倍に大きくすることが出来る。したがって、放電セル製作限界の３／２倍の横方向解像度を有するＰＤＰを達成できる。例えば、ＸＧＡなみの放電セルの横幅でＵＸＧＡの解像度を持つＰＤＰが実現できる。
【００２３】
図２は、本発明の実施の形態１の例１のプラズマディスプレイ装置の基本構成を示すブロック図である。本例のプラズマディスプレイ装置１００ａの基本構成は次の通りである。すなわち、図２に示すように、本実施の形態１の例１は、基本的に上記のような放電セルと画素構成を有するパネル９１ａと、パネル内の電極群と外部回路の接続部となるＸ電極端子部９２、Ｙ電極端子部９３、及びＡ電極端子部９４と、これらに電圧を印加して駆動するＸ駆動回路９５、Ｙ駆動回路９６、及びＡ駆動回路９７からなる駆動回路９８ａと、表示画面の画像信号を与える画像源９９と、画像源９９からの画像信号から１ＴＶフィールドの表示画面の各放電セルへの輝度信号に変換する輝度信号変換器１０１、１ＴＶフィールドの全サステイン期間での全発光回数を前記各放電セルへの輝度信号に比例するように設定し、その全発光回数をサブフィールドに振り分け、駆動回路９８ａへの入力信号を与える論理回路１０２から構成されている。
【００２４】
図４は輝度信号変換器１０１の輝度信号変換の例を示す図である。画像源９９からの各画素へのＲ、Ｇ、Ｂの輝度信号５が輝度信号変換器１０１に入り、各放電セルへの輝度信号変換処理６ａをして、論理回路１０２のＲ、Ｇ、Ｂ信号になる。画素に対する輝度信号５ａに示すように、ｉ−２列目の画素に対する信号源９９からのＧの輝度信号をＳｇｉ−２、ｉ−１列目の画素に対する信号源９９からのＧ、Ｂ、Ｒの輝度信号をＳｇｉ−１、Ｓｂｉ−１、Ｓｒｉ−１、ｉ列目列目の画素に対する信号源９９からのＲ、Ｇ、Ｂの輝度信号をＳｒｉ、Ｓｇｉ、Ｓｂｉ、ｉ＋１列目の画素に対する信号源９９からのＢ、Ｇ、Ｒの輝度信号をＳｂｉ＋１、Ｓｇｉ＋１、Ｓｒｉ＋１、ｉ＋２列目の画素に対する信号源９９からのＧの輝度信号をＳｇｉ＋２とする。これらの入力輝度信号を輝度信号変換処理６ａに示すように変換して各放電セルの輝度信号とする。例えば、ｉ列目の画素に対するＲ、Ｇ、Ｂ放電セルに対する輝度信号をそれぞれ（Ｓｒｉ−１）＋Ｓｒｉ、Ｓｇｉ、Ｓｂｉ＋（Ｓｂｉ＋１）に変換する。すなわち、共有される放電セルに対する輝度信号を、その放電セルを共有する画素のその放電セルに対する輝度信号の和とする。この変換された各放電セルに対する輝度信号を論理回路１０２のＲ、Ｇ、Ｂの輝度信号７ａとする。
【００２５】
図３は、本発明の実施の形態１の例１のプラズマディスプレイ装置のＰＤＰに１枚の画を表示する１ＴＶフィールド期間の駆動回路の動作を示す図である。階調表示方式としてＡＤＳ（Ａｄｄｒｅｓｓ  Ｄｉｓｐｌａｙ−Ｐｅｒｉｏｄ  Ｓｅｐａｒａｔｉｏｎ）を用いた駆動電圧の具体的な例を図３に示す。図３の（ａ）は、図１に示したＰＤＰに１枚の画を表示するのに要する１ＴＶフィールド期間の駆動電圧のタイムチャートを示す図である。図３の（ｂ）は、図３の（ａ）のアドレス期間８０においてＡ電極５９、Ｘ電極６４およびＹ電極６５に印加される電圧波形を示す図である。Ｘ電極、Ｙ電極を各々サステイン電極、まとめてサステイン電極対と呼ぶ。図３の（ｃ）は、図３の（ａ）のサステイン期間８１の間に、サステイン電極であるＸ電極とＹ電極の間に一斉に印加されるサステインパルス電圧とアドレス電極に印加される電圧（アドレス電圧）を示す図である。
【００２６】
１ＴＶフィールド期間７０は複数の異なる発光回数を持つサブフィールド７１〜７８に分割されている。この状態を、図３の（ａ）中の（Ｉ）に示す。
【００２７】
各サブフィールド毎の発光と非発光の選択により階調を表現する。例えば、２進法に基づく輝度の重みをもった８個のサブフィールドを設けた場合、３原色表示用放電セルはそれぞれ２８（＝２５６）階調の輝度表示が得られ、約
１６７８万色の色表示ができる。
【００２８】
各サブフィールドは、図３の（ＩＩ）に示すように、次の３つの期間を有する。第１は放電セルを初期状態に戻すリセット期間７９、第２は発光する放電セルを選択するアドレス期間８０、および第３はサステイン期間８１である。
【００２９】
図３の（ｂ）は、図３の（ａ）のアドレス期間８０においてＡ電極５９、Ｘ電極６４、およびＹ電極６５に印加される電圧波形（サステインパルス電圧波形）を示す図である。波形８２はアドレス期間８０に於ける１本のＡ電極５９に印加する電圧波形（Ａ電圧波形）、波形８３はＸ電極６４に印加する電圧波形（Ｘ電圧波形）、８４、８５はそれぞれＹ電極６５のｉ番目と（ｉ＋１）番目に印加する電圧波形（Ｙ電圧波形）である。これに対する、それぞれの電圧はＶ０、Ｖ１、Ｖ２１およびＶ２２（Ｖ）である。
【００３０】
図３の（ｂ）に示すように、Ｙ電極６５のｉ行目にスキャンパルス８６が印加された時、電圧Ｖ０のＡ電極５９との交点に位置するセルではＹ電極とＡ電極の間、次いでＹ電極とＸ電極の間にアドレス放電が起こる。グランド電位のＡ電極５９との交点に位置するセルではアドレス放電は起こらない。Ｙ電極の（ｉ＋１）行目にスキャンパルス８７が印加された場合も同様である。
【００３１】
アドレス放電が起こった放電セルでは、放電で生じた電荷（壁電荷）が図７のＸ、Ｙ電極を覆う誘電体膜５６および保護膜５７の表面に形成され、Ｘ電極とＹ電極との間に壁電圧Ｖｗ（Ｖ）が発生する。この壁電荷の有無が、次に続くサステイン期間８１でのサステイン放電の有無を決める。
【００３２】
図３の（ｃ）は、図３の（ａ）のサステイン期間８１の間に、サステイン電極であるＸ電極とＹ電極の間に一斉に印加されるサステインパルス電圧を示す図である。Ｘ電極には電圧波形８８のサステインパルス電圧が、Ｙ電極には電圧波形８９のサステインパルス電圧が印加される。いずれも、電圧値はＶ３（Ｖ）である。Ａ電極５９には、電圧波形９０の駆動電圧が印加され、サステイン期間内は一定電圧（Ｖ４）に保持される。Ｖ３の電圧のサステインパルス電圧が交互に印加されることにより、Ｘ電極とＹ電極との間の相対電圧は反転を繰り返す。このＶ３の電圧値は、アドレス放電による壁電圧の有無でサステイン放電の有無が決まるように設定される。
【００３３】
アドレス放電が起こった放電セルの１番目の電圧パルスにおいて、放電が起り逆極性の壁電荷がある程度蓄積するまで放電は続く。この放電の結果、蓄積された壁電圧は２番目の反転した電圧パルスを支援する方向に働き、再び放電が起こる。３番目のパルス以降も同様である。このように、アドレス放電を起こした放電セルのＸ電極とＹ電極の間には、印加電圧パルス数分の維持放電が起こり発光する。逆に、アドレス放電を起こさなかった放電セルでは発光しない。以上が、本実施の形態１の例１のＰＤＰ装置の基本構成及びその駆動方法である。
【００３４】
以上で述べた放電セルの構造、および駆動波形は一つの具体例であり、他の駆動波形を用いてもよいことは言うまでもない。
以上のようなＰＤＰ装置と駆動方法により、主に輝度信号の処理によりＰＤＰの放電セルの製作限界以上の高解像度のＰＤＰを得ることが出来る。
【００３５】
図５は、本発明の実施の形態１の例２のプラズマディスプレイ装置のＰＤＰの放電セルと画素の関係を示す図である。本発明の実施の形態１の例１と異なる点のみを述べる。Ｒ、Ｇ、Ｂの放電セルの配列の仕方とＢの放電セルが他より幅が広くなっている。これにより、放電セルの製作限界以上の高解像度のＰＤＰを得ることが出来ると共に、Ｂの強度を相対的に大きく出来るので色温度改善を行うことが出来る。
［実施の形態２］
図６は本発明の実施の形態２のプラズマディスプレイ装置のＰＤＰの放電セルと画素の関係を示す図である。本発明の実施の形態１の例１と異なる点のみを述べる。実施の形態１の例１では図１に示すように、画素距離４が横方向に２放電セル分であり、１つの画素の両端の放電セルが隣接画素と共有される。これに対し実施の形態２では図６に示すように、画素距離４が横方向に１放電セル分であり、１放電セルは連続する３つの画素に共有される。すなわち、ｉ−２列目の画素５はＧ、Ｂ、Ｒの３色の放電セルから成り、ｉ−１列目の画素１はＢ、Ｒ、Ｇの３色の放電セルから成り、ｉ列目の画素２はＲ、Ｇ、Ｂの３色の放電セルから成り、ｉ＋１列目の画素３はＧ、Ｂ、Ｒの３色の放電セルから成り、ｉ＋２列目の画素６はＢ、Ｒ、Ｇの３色の放電セルから成る。例えば、ｉ列目の画素のＲ放電セルは、ｉ−２、ｉ−１、ｉ列目の画素に共有され、Ｇ放電セルはｉ−１、ｉ、ｉ＋１列目の画素に共有され、Ｂ放電セルはｉ、ｉ＋１、ｉ＋２列目の画素に共有される。
【００３６】
図１０は輝度信号変換器１０１の輝度信号変換の例を示す図である。画像源９９からの各画素へのＲ、Ｇ、Ｂの輝度信号５が輝度信号変換器１０１に入り、各放電セルへの輝度信号変換処理６ｂをして、論理回路１０２のＲ、Ｇ、Ｂ信号になる。５ｂに示すように、ｉ−３列目の画素に対する信号源９９からのＢの輝度信号をＳｂｉ−３、ｉ−２列目の画素に対する信号源９９からのＢ、Ｒの輝度信号をＳｂｉ−２、Ｓｒｉ−２、ｉ−１列目の画素に対する信号源９９からのＢ、Ｒ、Ｇの輝度信号をＳｂｉ−１、Ｓｒｉ−１、Ｓｇｉ−１、ｉ列目列目の画素に対する信号源９９からのＲ、Ｇ、Ｂの輝度信号をＳｒｉ、Ｓｇｉ、Ｓｂｉ、ｉ＋１列目の画素に対する信号源９９からのＧ、Ｂ、Ｒの輝度信号をＳｇｉ＋１、Ｓｂｉ＋１、Ｓｒｉ＋１、ｉ＋２列目の画素に対する信号源９９からのＢ、Ｒの輝度信号をＳｂｉ＋２、Ｓｒｉ＋２、ｉ＋３列目の画素に対する信号源９９からのＲの輝度信号をＳｒｉ＋３とする。これらの入力輝度信号を輝度信号変換処理６ｂに示すように変換して各放電セルの輝度信号とする。例えば、ｉ列目の画素に対するＲ、Ｇ、Ｂ放電セルに対する輝度信号をそれぞれ（Ｓｒｉ−２）＋（Ｓｒｉ−１）＋Ｓｒｉ、（Ｓｇｉ−１）＋Ｓｇｉ＋（Ｓｇｉ＋１）、Ｓｂｉ＋（Ｓｂｉ＋１）＋（Ｓｂｉ＋２）に変換する。すなわち、１つの放電セルに対する輝度信号を、その放電セルが中央となる画素を中心とする連続する３画素のその放電セルに対する輝度信号の和とする。この変換された各放電セルに対する輝度信号を論理回路１０２のＲ、Ｇ、Ｂの輝度信号７ｂとする。
以上のような画素構成を有するＰＤＰと駆動方法により、画素間距離４が従来技術のＰＤＰの１／３となり、横方向の解像度が３倍になる。さらに縦方向の画素間距離を横方向と一致させるために、縦方向の放電セルサイズを１／３に縮小すれば、縦横とも解像度を３倍にすることが出来る。逆に同じ解像度のＰＤＰならば、横方向の放電セル幅を３倍とすることが出来、発光効率において有利になる。
【００３７】
実際の放電セル幅はＰＤＰのサイズと設計画素数から決まるが、その放電セル幅は従来技術の構成による放電セル幅と比べて３倍に大きくすることが出来る。したがって、放電セル製作限界の３倍の横方向解像度を有するＰＤＰを達成できる。例えば、ＶＧＡなみの放電セルの横幅でＱＸＧＡなみの解像度を持つＰＤＰが実現できる。
【００３８】
以上のように本発明によるＰＤＰによれば、輝度信号の処理により画面の画素数を増大させることが出来るので、ＰＤＰの製作限界以上の画像の高解像度化を図ることが出来る効果がある。
【００３９】
また、前述した各実施の形態の諸組み合わせで、可能なもの全てが本発明として実施可能であることは言うまでもない。
【００４０】
以上、前記諸実施の形態に基づき具体的に説明したが、本発明は、前記実施の形態に限定されるものではなく、その要旨を逸脱しない範囲において種々変更可能であることは勿論である。
【００４１】
【発明の効果】
本願発明は、ＰＤＰを用いたプラズマディスプレイ装置において、主に輝度信号の処理によりＰＤＰの放電セルの製作限界以上の高解像度のＰＤＰを得ることが出来る効果がある。
【図面の簡単な説明】
【図１】図１は、本発明の実施の形態１の例１のプラズマディスプレイ装置のＰＤＰの放電セルと画素の関係を示す図である。
【図２】図２は、本発明の実施の形態１の例１のプラズマディスプレイ装置の基本構成を示すブロック図である。
【図３】図３は、本発明の実施の形態１の例１のプラズマディスプレイ装置のＰＤＰに１枚の画を表示する１ＴＶフィールド期間の駆動回路の動作を示す図である。
【図４】図４は、本発明の実施の形態１の例１のプラズマディスプレイ装置のＰＤＰの輝度信号変換器の輝度信号変換の例を示す図である。
【図５】図５は、本発明の実施の形態１の例２のプラズマディスプレイ装置のＰＤＰの放電セルと画素の関係を示す図である。
【図６】図６は、本発明の実施の形態２のプラズマディスプレイ装置のＰＤＰの放電セルと画素の関係を示す図である。
【図７】図７は、従来のａｃ３電極面放電型ＰＤＰの例を示す斜視図である。
【図８】図８は、従来のＰＤＰの放電セルと画素の関係を示す図である。
【図９】図９は、ＰＤＰ装置の基本構成を示すブロック図である。
【図１０】図１０は、本発明の実施の形態２のプラズマディスプレイ装置のＰＤＰの輝度信号変換器の輝度信号変換の例を示す図である。
【符号の説明】
１…本放電、２…前置放電、３…負荷率検出器、４…負荷率対応器、５ａ、５ｂ…画素に対する輝度信号、６ａ、６ｂ…輝度信号変換処理、７ａ、７ｂ…論理回路のＲ、Ｇ、Ｂの輝度信号、５１…前面基板、５２…Ｘ透明電極、５３…Ｙ透明電極、５４…Ｘバス電極、５５…Ｙバス電極、５６…前面誘電体、５７…保護膜、５８…背面基板、５９…アドレス電極、６０…背面誘電体、６１…隔壁、６２…蛍光体、６３…放電空間、６４…Ｘ電極、６５…Ｙ電極、６６…１画素、７０…ＴＶフィールド、７１〜７８…サブフィールド、７９…リセット放電期間、８０…アドレス期間、８１…サステイン期間、８２…Ａ電極５９に印加する電圧波形（Ａ電圧波形）、８３…Ｘ電極６４に印加する電圧波形（Ｘ電圧波形）、８４…Ｙ電極６５のｉ番目に印加する電圧波形（Ｙ電圧波形）、８５…Ｙ電極６５の（ｉ＋１）番目に印加する電圧波形（Ｙ電圧波形）、８６、８７…スキャンパルス、８８…Ｘ電極電圧波形、８９…Ｙ電極電圧波形、９０…Ａ電極電圧波形、９１…パネル（プラズマディスプレイパネル、ＰＤＰとも呼ぶ）、９２…Ｘ電極端子部、９３…Ｙ電極端子部、９４…Ａ電極端子部、９５…Ｘ駆動回路、９６…Ｙ駆動回路、９７…Ａ駆動回路、９８…駆動回路、９９…画像源、１００、１００ａ…プラズマディスプレイ装置、１０１…輝度信号変換器，１０２…論理回路。
【図１】
2005017411.tif 000002
【図２】
2005017411.tif 000003
【図３】
2005017411.tif 000004
【図４】
2005017411.tif 000005
【図５】
2005017411.tif 000006
【図６】
2005017411.tif 000007
【図７】
2005017411.tif 000008
【図８】
2005017411.tif 000009
【図９】
2005017411.tif 000010
【図１０】
2005017411.tif 000011